(57)【要約】【課題】電力ラインの取り回し作業の向上を図る。【解決手段】旋回軸機構５０の旋回軸５２を中空軸として形成し、モータＭ１，Ｍ２の電力ラインＬ１，Ｌ２やセンサＧＳの信号ラインＳＬ１，マーカーセンサＭＳの信号ラインＳＬ２をフレーム部材３２内で束ねて、旋回軸５２内を挿通させて天板１２の上面に配線して制御装置４に接続する。この結果、電力ラインＬ１，Ｌ２や信号ラインＳＬ１，ＳＬ２を、駆動ユニット３０の天板１２に対する回転を考慮した配置や長さに設定する必要がないから、配線の取り回しを行い易いものとすることができる。【選択図】図６
2010076685.tif 000002
【特許請求の範囲】
【請求項１】
台車側に接続される天板と、駆動輪を駆動可能な電動機を有する駆動ユニットと、前記天板に対して前記駆動ユニットを旋回可能に支持する旋回軸部材を含む旋回軸機構と、前記電動機を駆動制御する制御装置と、を備える無人搬送車であって、
前記旋回軸機構は、前記旋回軸部材が内部に貫通孔を有する中空軸として形成されてなり、
前記電動機と前記制御装置との間で電力をやり取りするための電力ラインを前記旋回軸の前記貫通孔に挿通してなる
無人搬送車。
【請求項２】
前記駆動ユニットは、進行方向に対して左側に配置された左側車軸に接続された前記駆動輪としての左側車輪と、
前記進行方向に対して右側に配置されるとともに前記左側車軸と同軸配置された右側車軸に接続された前記駆動輪としての右側車輪と、前記左側車輪を回転駆動可能な前記電動機としての第１電動機と、前記右側車輪を回転駆動可能な前記電動機としての第２電動機とを有してなり、
前記天板と前記駆動ユニットとの間には、駆動ユニットを進行方向に対して揺動可能に保持する保持プレートが設けられ、
前記旋回軸機構は、前記保持プレートにおける，前記左側車軸と前記右側車軸との間の略中央を通る前記進行方向の中央線と前記左側車軸および前記右側車軸の軸線との交点を通る鉛直方向の鉛直線上の点近傍に対応する位置から鉛直上方側に向かって突出して設けられた上方突出部と、前記天板における前記上方突出部に対応する位置において鉛直下方側に向かって突出して設けられるとともに前記上方突出部に遊嵌される前記旋回軸部材を構成する下方突出部と、前記上方突出部および／または前記下方突出部の外周に配置されたバネ部材とを有してなり、
前記電力ラインは、前記上方突出部および／または前記下方突出部内に挿通されてなる
請求項１記載の無人搬送車。
【請求項３】
前記駆動ユニットを駆動制御するために必要な情報を検知可能な検知手段を備え、
前記制御装置は、前記検知手段により検知された情報に基づいて前記駆動輪を駆動制御してなり、
前記検知手段と前記制御装置との間で信号をやり取りするための信号ラインを前記旋回軸の前記貫通孔に挿通してなる
請求項１または２記載の無人搬送車。
【請求項４】
前記検知手段は、前記駆動ユニットを誘導するために路面に設置された誘導帯を検知する手段である
請求項３記載の無人搬送車。
【請求項５】
前記検知手段は、停止モードを含む前記無人搬送車の走行モードを切り替えるためのコマンドを検知する手段である請求項３または４記載の無人搬送車。
【請求項６】
前記検知手段は、前記無人搬送車と障害物との接触を検知する手段である請求項３ないし５いずれか記載の無人搬送車。
【発明の詳細な説明】
【技術分野】
【０００１】
本発明は、無人搬送車に関する。
【背景技術】
【０００２】
台車に取り付けられる天井ベース板と、天井ベース板に対して上下移動可能に設けられた可動ベース板と、可動ベース板と一体的に上下移動可能なように可動ベース板の中央部に固設された円筒部材と、円筒部材内に収容され、一端が天井ベース板に当接し、他端が円筒部材内に形成された内周面段差部に当接する圧縮コイルバネと、円筒部材の下部に調芯ベアリングを介して連結された駆動ユニットとを備えるものが提案されている（例えば、特許文献１参照）。
この無人搬送車では、円筒部材を中心に駆動ユニットを旋回可能、かつ、常に操舵中心にバネ力を作用できるため、安定した走行を行うことができるものとしている。
【特許文献１】特開平８−１１７４１号公報
【発明の開示】
【発明が解決しようとする課題】
【０００３】
ところで、無人搬送車では、電力供給源としてのバッテリや駆動ユニットを駆動制御する制御装置を、駆動ユニットとは別の場所に配置するのが一般的であり、このため、駆動ユニットとバッテリや制御装置とで電力をやり取りする電力ライン等のハーネス類の配線を駆動ユニットの旋回を考慮したものとする必要がある。即ち、ハーネス類の長さが短いために駆動ユニットの旋回域が制限されたり、ハーネス類の取り回し不良によりハーネス類が周辺部品と干渉したりしないように、ハーネス類の長さや配置を設定しなければならず、ハーネス類の取り回し作業が煩雑となってしまう。
【０００４】
本発明の無人搬送車は、電力ラインの取り回し作業の向上を図ることを目的とする。
【課題を解決するための手段】
【０００５】
本発明の無人搬送車は、上述の目的の少なくとも一部を達成するために以下の手段を採った。
台車側に接続される天板と、駆動輪を駆動可能な電動機を有する駆動ユニットと、前記天板に対して前記駆動ユニットを旋回可能に支持する旋回軸部材を含む旋回軸機構と、前記電動機を駆動制御する制御装置と、を備える無人搬送車であって、前記旋回軸機構は、前記旋回軸部材が内部に貫通孔を有する中空軸として形成されてなり、前記電動機と前記制御装置との間で電力をやり取りするための電力ラインを前記旋回軸の前記貫通孔に挿通してなることを要旨とする。
【発明の効果】
【０００６】
この本発明の無人搬送車では、電動機と制御装置との間で電力をやり取りするための電力ラインを旋回軸の貫通孔に挿通するから、電力ラインの取り回しを行うに際して、駆動ユニットの旋回を考慮する必要がない。即ち、電力ラインの長さを駆動ユニットの旋回を考慮した長さに設定したり、周辺部品との干渉を考慮した配置にするなどの作業を行う必要がない。この結果、電力ラインの取り回し作業の向上を図ることができる。
【０００７】
こうした本発明の無人搬送車において、前記駆動ユニットは、進行方向に対して左側に配置された左側車軸に接続された前記駆動輪としての左側車輪と、前記進行方向に対して右側に配置されるとともに前記左側車軸と同軸配置された右側車軸に接続された前記駆動輪としての右側車輪と、前記左側車輪を回転駆動可能な前記電動機としての第１電動機と、前記右側車輪を回転駆動可能な前記電動機としての第２電動機とを有してなり、前記天板と前記駆動ユニットとの間には、駆動ユニットを進行方向に対して揺動可能に保持する保持プレートが設けられ、前記旋回軸機構は、前記保持プレートにおける、前記左側車軸と前記右側車軸との間の略中央を通る前記進行方向の中央線と前記左側車軸および前記右側車軸の軸線との交点を通る鉛直方向の鉛直線上の点近傍に対応する位置から鉛直上方側に向かって突出して設けられた上方突出部と、前記天板における前記上方突出部に対応する位置において鉛直下方側に向かって突出して設けられるとともに前記上方突出部に遊嵌される前記旋回軸部材を構成する下方突出部と、前記上方突出部および／または前記下方突出部の外周に配置されたバネ部材とを有してなり、前記電力ラインは、前記上方突出部および／または前記下方突出部内に挿通されてなるものとすることもできる。
こうすれば、無人搬送車自体の高さ方向を減縮しながら駆動ユニットの旋回性，揺動性および走行性を確保できる無人搬送車において、電力ラインの取り回し作業の向上を図ることができる。
【０００８】
また、本発明の無人搬送車において、前記駆動ユニットを駆動制御するために必要な情報を検知可能な検知手段を備え、前記制御装置は、前記検知手段により検知された情報に基づいて前記駆動輪を駆動制御してなり、前記検知手段と前記制御装置との間で信号をやり取りするための信号ラインを前記旋回軸の前記貫通孔に挿通してなるものとすることもできる。
こうすれば、無人搬送車自体の高さ方向を減縮しながら駆動ユニットの旋回性，揺動性および走行性を確保できる無人搬送車において、信号ラインの取り回し作業の向上を図ることができる。
【０００９】
この態様の本発明の無人搬送車において、前記検知手段は、前記駆動ユニットを誘導するために路面に設置された誘導帯を検知する手段であるものとしたり、前記検知手段は、停止モードを含む前記無人搬送車の走行モードを切り替えるためのコマンドを検知する手段であるものとしたり、前記検知手段は、前記無人搬送車と障害物との接触を検知する手段であるものとすることができる。
こうすれば、誘導帯を検知する検知手段と制御装置とを接続する信号ラインの取り回し作業や無人搬送車の走行モードを切り替えるためのコマンドを検知する検知手段と制御装置とを接続する信号ラインの取り回し作業、無人搬送車と障害物との接触を検知する検知手段と制御装置とを接続する信号ラインの取り回し作業の効率を向上することができる。
【発明を実施するための最良の形態】
【００１０】
次に、本発明を実施するための最良の形態を実施例を用いて説明する。
図１は、本発明の一実施形態としての無人搬送車１の外観の一例を示す外観図であり、図２は、本発明の無人搬送車１を上方から見た平面図である。
実施例の無人搬送車１は、図１および図２に示すように、台車本体２と、無人搬送車１全体をコントロールする制御ユニット４と、台車本体２の台板２ａ下面のほぼ中央部に取り付けられた駆動装置１０とを備え、誘導帯Ｇに沿って自動走行可能なように構成されている。
【００１１】
台車本体２の台板２ａの進行方向前側（図１中左側）の下面には左右一対のキャスター５，５が取り付けられており、台車本体２の台板２ａの進行方向後側（図１中右側）の下面には左右一対の固定輪６，６が取り付けられている。また、台車本体２の台板２ａの進行方向前側の上面には、ハンドル８が取り付けられており、無人搬送車１を手動走行する際に無人搬送車１を手で押すことができるように構成されている。
【００１２】
制御ユニット４は、図示しないＣＰＵを中心とするマイクロプロセッサとして構成されており、ＣＰＵの他に処理プログラムを記憶する図示しないＲＯＭと、データを一時的に記憶する図示しないＲＡＭと、図示しない入出力ポートとを備える。
制御ユニット４には、後述するモータＭ１およびＭ２に取り付けられた図示しない回転センサからのモータ回転数や、後述するセンサＧＳからの走行ポジション，マーカーセンサＭＳからのコマンド信号などが入力ポートを介して入力されている。ここで、マーカーは、前進モードや後進モード，横行モード，停止モードなどの走行モードを切り替えるコマンドのために誘導帯Ｇ付近に施設されるものである。また、制御ユニット４からは、モータＭ１およびＭ２への駆動信号などが出力ポートを介して出力されている。なお、制御ユニット４は、台車２の台板２ａの進行方向前側上面に配置されている
【００１３】
図３は、駆動装置１０の外観を示す外観斜視図であり、図４は、駆動装置１０の構成の概略を示す分解斜視図である。
駆動装置１０は、図３および図４に示すように、台板２ａの下面に取り付け固定される天板１２と、旋回軸機構５０を介して天板１２に接続される保持プレート２０と、この保持プレート２０に揺動可能に保持される駆動ユニット３０と、天板１２に取り付け固定され駆動ユニット３０の昇降を行う昇降機構７０とを備える。
【００１４】
天板１２は、図４に示すように、中央部に透孔１４ａが形成されたベース部１４と、このベース部１４の一方の長辺部１４ｂから一体に突出形成された突出部１６とから構成されており、外観視略Ｔ字状をなしている。ベース部１４には、透孔１４ａの外周のほぼ半分以上を覆う円弧孔１４ｃが形成されているとともに、透孔１４ａから突出部１６の根元部１６ａに開口する切欠開口１４ｄが形成されている。
【００１５】
保持プレート２０には、図４に示すように、中央部に円孔２０ａが形成されているとともに、無人搬送車１の進行方向である前後方向の両端部が鉛直下方に折り曲げられて折曲面２０ｂ，２０ｃが形成されている。また、保持プレート２０の円孔２０ａの外周部前方（図４の左側）には、鉛直上方に突出してストッパピンＳＰが取り付け固定されている。即ち、ストッパピンＳＰは、保持プレート２０が天板１２に接続された際に天板１２の円弧孔１４ｃ内に係合する位置に配置されている。これにより、保持プレート２０を介して後述する駆動ユニット３０の天板１２に対する旋回範囲が規制される。
さらに、保持プレート２０の下面には、ホルダ部材２２が取り付けられている。ホルダ部材２２は、上部が開口して下部に底面２４を有する有底形状に形成されており、開口が円孔２０ａに対応するように保持プレート２０に取り付けられる。底面２４の中央部には、円孔２４ａが形成されている。
【００１６】
図５は、駆動ユニット３０を分解した状態を示す分解斜視図であり、図６は、駆動ユニット３０の要部を示す要部断面図である。
駆動ユニット３０は、図５に示すように、フレーム部材３２と、フレーム部材３２内に取り付け固定される２つのギヤボックス３４ａ，３４ｂと、回転軸３６ａ，３６ｂを介して各ギヤボックス３４ａ，３４ｂに接続される２つのモータＭ１，Ｍ２と、ギヤボックス３４ａに接続される左側車軸３７ａと、左側車軸３７ａに取り付けられる左側車輪３８ａと、ギヤボックス３４ｂに接続される右側車軸３７ｂと、右側車軸３７ｂに取り付けられる右側車輪３８ｂとから構成されており、フレーム部材３２の前面部３２ａと後面部３２ｂには誘導帯Ｇを検出するセンサＧSとマーカーを検出するマーカーセンサＭＳとが取り付けられている。
【００１７】
駆動ユニット３０は、図４および図６に示すように、フレーム部材３２の前面部３２ａと保持プレート２０の折曲面２０ｂとが揺動ピンＰにより軸止されるとともに、フレーム部材３２の後面部３２ｂと保持プレート２０の折曲面２０ｃとが揺動ピンＰにより軸止されることにより、折曲面２０ｂと折曲面２０ｃとで区画形成された空間内に揺動自在に接続保持される。これにより、駆動ユニット３０の保持プレート２０に対する揺動性を確保しながら、保持プレート２０とフレーム部材３２、即ち、保持プレート２０と駆動ユニット３０とを接近した状態で接続することができる。
【００１８】
モータＭ１，Ｍ２とギヤボックス３４ａ，３４ｂとは、図４および図６に示すように、左側車軸３７ａと右側車軸３７ｂとの間に中央空間ＣＡが形成されるようにフレーム部材３２内に収容されており、この中央空間ＣＡ内には、駆動ユニット３０が保持プレート２０に接続保持される際に、保持プレート２０に取り付けられたホルダ部材２２がフレーム部材３２の上面中央部に形成された開口孔３２ｃを介して収容される。このとき、ホルダ部材２２の底面２４は、図４および図６に示すように、左側車軸３７ａと右側車軸３７ｂとの間のほぼ中央を通る進行方向の中央線ＣＬ１と左側車軸３７ａおよび右側車軸３７ｂの軸線ＣＬ２との交点を通る鉛直方向の鉛直線ＶＬ上の点のうち軸線ＣＬ２よりも鉛直下方側の点を含む平面内に配置される。
【００１９】
モータＭ１，Ｍ２には、モータＭ１，Ｍ２の各相コイルと電気的に接続された電力ラインＬ１，Ｌ２が取り付けられており、電力ラインＬ１，Ｌ２によりモータＭ１，Ｍ２を駆動制御する制御装置４に接続される。また、センサＧＳとマーカーセンサＭＳは、信号ラインＳＬ１，ＳＬ２によって制御装置４に接続されている。
【００２０】
旋回軸機構５０は、図６に示すように、一端にフランジ部５２ａが形成されるとともに内部が中空に形成された中空軸としての旋回軸５２と、この旋回軸５２の外周に回転可能かつ軸方向移動可能に遊嵌されたベアリング部材５４と、スナップリングＲによりベアリング部材５４に取り付け固定された段付筒状部材５６と、旋回軸５２の上端部に取り付けられたリング状のプレート部材５８と、旋回軸５２および段付筒状部材５６の外周に配置されたコイルスプリング６０とから構成されている。
【００２１】
旋回軸機構５０は、フランジ部５２ａがホルダ部材２２の底面２４に図示しないボルト等の締結部品により取り付け固定されるとともに段付筒状部材５６の上端面が天板１２に図示しないボルト等の締結部品により固定されることにより、天板１２と保持プレート２０とを接続する。ここで、旋回軸５２および段付筒状部材５６は各軸線が鉛直線ＶＬとほぼ一致するようにホルダ部材２２の底面２４および天板１２に取り付けられる。なお、コイルスプリング６０の軸線も鉛直線ＶＬとほぼ一致するように旋回軸５２および段付筒状部材５６の外周に配置される。
【００２２】
段付筒状部材５６は、図６に示すように、大径筒状部５６ｂと小径筒状部５６ｃとから構成されており、大径筒状部５６ｂが天板１２に取り付けられる。また、大径筒状部５６ｂは、図４に示すように、一部が切り欠かれた切欠開口部５６ｂ’を有し、この切欠開口部５６ｂ’が天板１２の切欠開口１４ｄに対応する向きとなるように天板１２に取り付けられる。
【００２３】
コイルスプリング６０は、一端が旋回軸５２のフランジ部５２ａに当接し、他端が段付筒状部材５６の段付部５６ａに当接しており、旋回軸５２と段付筒状部材５６とを互いに離間する方向にバネ力を作用する。このコイルスプリング６０のバネ力により左側車輪３８ａと右側車輪３８ｂとに接地荷重を発生させる。
【００２４】
このように構成された旋回軸機構５０により、駆動ユニット３０は保持プレート２０を介して天板１２に対して旋回軸５２の軸中心周りに回転自在に支持されるとともに保持プレート２０を介して天板１２に対して鉛直下方側に押圧される。ここで、コイルスプリング６０の軸線を鉛直線ＶＬとほぼ一致するように配置するから、左側車輪３８ａと右側車輪３８ｂとの接地荷重をほぼ均一なものとすることができる。この結果、無人搬送車１の走行安定性を向上できる。
【００２５】
また、図６に示すように、旋回軸機構５０の大部分がホルダ部材２２内に収容されるから、天板１２と保持プレート２０とを接近した状態で接続することができる。しかも、ホルダ部材２２をフレーム部材３２内に形成された中央空間ＣＡ内に収容するから、天板１２，保持プレート２０および駆動ユニット３０の３つをより接近した状態で接続することができる。この結果、駆動装置１０の高さ方向の寸法を低減でき、低床化を図ることができる。
ここで、実施例では、ホルダ部材２２の底面２４が軸線ＣＬ２よりも鉛直下方側とすることにより、旋回軸機構５０のより多くの部分をホルダ部材２２内に収容して、天板１２と保持プレート２０とをより接近した状態で接続することができるものとした。この結果、駆動装置１０の高さ方向の寸法をより低減でき、より低床化を図ることができる。
【００２６】
さらに、コイルスプリング６０を旋回軸５２のフランジ部５２ａと段付筒状部材５６の段付部５６ａとの間、即ち、旋回軸５２の外周面に配置するから、旋回軸５２内に配置するものと比較してスプリング径を大きく設定できる。これにより、同じバネ力を発生させるのに軸方向長さを短く設定できるから（スプリング径が大きい方が線形領域を大きく取れる）、旋回軸機構５０の軸方向長さをより短くすることができる。この結果、駆動装置１０の高さ方向の寸法をより低減でき、より低床化を図ることができる。
【００２７】
図７は、電力ラインＬ１，Ｌ２や信号ラインＳＬ１，ＳＬ２の配線の状態を示す状態図である。
モータＭ１，Ｍ２の電力ラインＬ１，Ｌ２やセンサＧＳおよびマーカーセンサＭＳの信号ラインＳＬ１，ＳＬ２は、図６および図７に示すように、フレーム部材３２内で束ねられて旋回軸５２内に挿入され、旋回軸５２内を挿通して天板１２の上面を配線されて制御装置４に接続される。
このように、電力ラインＬ１，Ｌ２や信号ラインＳＬ１，ＳＬ２を旋回軸５２内に挿通させる配線とすることにより、配線の取り回しを行い易いものとすることができる。即ち、電力ラインＬ１，Ｌ２や信号ラインＳＬ１，ＳＬ２を、駆動ユニット３０の天板１２に対する回転を考慮した配置や長さに設定する必要がない。
【００２８】
図８は、昇降機構７０の構成の概略を示す構成図である。
昇降機構７０は、図８に示すように、昇降用モータＭ３と、この昇降用モータＭ３の回転軸に接続されたカムフォロワー７２と、このカムフォロワー７２に接続された昇降ロッド７４と、昇降ロッド７４に接続されるとともに旋回軸機構５０のプレート部材５８に係合するレバー部材７６とから構成されており、昇降用モータＭ３の回転により駆動ユニット３０の昇降を行う。
【００２９】
昇降用モータＭ３は、天板１２の突出部１６の先端部であって、天板１２の下面側にブラケットＢを介して取り付けられることにより、駆動ユニット３０の側方に配置される。これにより、高さ方向の寸法が増加するのを防止している。
【００３０】
カムフォロワー７２は、図示するように、昇降用モータＭ３の回転軸に同心状に接続されており、中心から所定距離偏心した位置（径方向外方）に昇降ロッド７４が接続される。また、カムフォロワー７２は、ブラケットＢに取り付けられた２つのローラ部材Ｒによって、昇降用モータＭ３の回転軸に対して直角方向の倒れが防止されている。
【００３１】
昇降ロッド７４は、図４および図８に示すように、略「へ」の字に形成されており、カムフォロワー７２の位置から天板１２に形成された切欠開口１４ｄに沿って天板１２の透孔１４ａまで延出している。これにより、カムフォロワー７２が回転すると、昇降ロッド７４は前後方向（図８の上下方向）に揺動できる。即ち、昇降ロッド７４は、昇降用モータＭ３による回転運動をカムフォロワー７２と協働して水平方向運動に変換する。ここで、昇降ロッド７４は、少なくともカムフォロワー７２の回転によりレバー部材７６側、即ち、前方向側（図４中左側あるいは図８中下側）に揺動した際に、天板１２の切欠開口１４ｄにその一部が収容されるように構成されている。これにより、昇降ロッド７４の揺動による無人搬送車１の高さ方向の寸法が増加するのを抑制している。
【００３２】
レバー部材７６は、図８に示すように、ほぼ二等辺三角形状をしたプレートにより形成されており、ほぼ長さの等しい二辺が交差する頂部７６ａが昇降ロッド７４の先端部に揺動自在に接続され、底辺の一端部７６ｂが天板１２に取り付け固定された図示しないＬ字ブラケットに支持され、底辺の他端部７６ｃがリング部材７８を介して旋回軸機構５０のプレート部材５８に係合される。即ち、レバー部材７６は、頂部７６ａを力点、底辺の一端部７６ｂを支点、底辺の他端部７６ｃを作用点とするリンク部材として形成されている。ここで、リング部材７８とプレート部材５８とは、段付筒状部材５６の大径筒状部５６ｂに形成された切欠開口部５６ｂ’を介して係合される。
【００３３】
こうして、昇降用モータＭ３の回転軸の回転によりカムフォロワー７２が回転し、これに伴い、昇降ロッド７４が水平方向である前後方向（図８の上下方向）に揺動してレバー部材７６を揺動し、レバー部材７６の揺動により旋回軸機構５０の旋回軸５２をコイルスプリング６０のバネ力に抗して鉛直上方に移動する。即ち、昇降用モータＭ３の回転をレバー部材７６の頂部７６ａから底辺の一端部７６ｂまでの距離と底辺の一端部７６ｂから底辺の他端部７６ｃまでの距離との比であるレバー比に応じた鉛直方向移動に変換して、旋回軸５２が取り付けられた保持プレート２０を介して駆動ユニット３０を路面から離間させる。このように、昇降機構７０は、その高さ方向の寸法増加を抑えながらも駆動ユニット３０を鉛直上方向に上昇させて駆動ユニット３０の路面からの離間距離を大きなものとすることができる。
【００３４】
以上説明した実施例の無人搬送車１によれば、旋回軸機構５０の旋回軸５２を中空軸として形成し、モータＭ１，Ｍ２の電力ラインＬ１，Ｌ２やセンサＧＳの信号ラインＳＬ１，マーカーセンサＭＳの信号ラインＳＬ２をフレーム部材３２内で束ねて旋回軸５２内を挿通させて天板１２の上面に配線して制御装置４に接続するから、電力ラインＬ１，Ｌ２や信号ラインＳＬ１，ＳＬ２を、駆動ユニット３０の天板１２に対する回転を考慮した配置や長さに設定する必要がない。この結果、配線の取り回しを行い易いものとすることができる。
【００３５】
また、実施例の無人搬送車１によれば、駆動ユニット３０を進行方向と平行な軸線を有する揺動ピンＰにより保持プレート２０に揺動自在に保持し、この保持プレート２０を左側車軸３７ａと右側車軸３７ｂとの間に配置した旋回軸機構５０を介して台車側の天板１２に接続する。即ち、駆動ユニット３０の進行方向に対する揺動を、駆動ユニット３０を旋回可能に支持するとともに駆動ユニット３０にバネ力を作用する旋回軸機構５０とは無関係に行うから、従来のように調芯ベアリングや揺動制限板等が必要ない。この結果、調芯ベアリングや揺動制限板等による制約を受けることなく、無人搬送車自体の高さ方向の減縮が可能となる。しかも、コイルスプリング６０の軸線を鉛直線ＶＬとほぼ一致するように配置するから、左側車輪３８ａと右側車輪３８ｂとの接地荷重をほぼ均一なものとすることができ、走行安定性を向上できる。
【００３６】
さらに、実施例の無人搬送車１によれば、ホルダ部材２２の底面２４を左側車軸３７ａと右側車軸３７ｂとの間のほぼ中央を通る進行方向の中央線ＣＬ１と左側車軸３７ａおよび右側車軸３７ｂの軸線ＣＬ２との交点を通る鉛直方向の鉛直線ＶＬ上の点のうち軸線ＣＬ２よりも鉛直下方側の点を含む平面内に配置されるようにフレーム部材３２内に形成された中央空間ＣＡ内に収容するから、旋回軸機構５０の大部分をフレーム部材３２内に収容できる。この結果、天板１２，保持プレート２０および駆動ユニット３０の３つをより接近した状態で接続することができ、駆動装置１０の高さ方向の寸法をより低減できる。
【００３７】
実施例の無人搬送車１によれば、駆動ユニット３０の側方に配置した昇降用モータＭ３による回転運動をカムフォロワー７２と昇降ロッド７４とにより水平方向運動に変換し、さらに、この水平方向運動をレバー部材７６により駆動ユニット３０の鉛直方向運動に変換するよう昇降機構７０を構成するから、高さ方向の寸法増加を抑えることができる。しかも、昇降ロッド７４は、少なくともカムフォロワー７２の回転により前方向側（図４中左側）に揺動した際、即ち、駆動ユニット３０を降下した際に、天板１２の切欠開口１４ｄにその一部が収容されるように構成するから、昇降ロッド７４の揺動による無人搬送車１の高さ方向の寸法増加をより抑制できる。なお、昇降機構７０は、駆動ユニット３０を鉛直上方向に上昇させることができるから、その高さ方向の寸法増加を抑えながらも駆動ユニット３０の路面からの離間距離を大きなものとすることができる。
【００３８】
実施例の無人搬送車１では、モータＭ１，Ｍ２の電力ラインＬ１，Ｌ２、センサＧＳの信号ラインＳＬ１およびマーカーセンサＭＳの信号ラインＳＬ２の全てを旋回軸機構５０の旋回軸５２内に挿通するものとしたが、何れか１つだけを旋回軸５２内に挿通するものとしても構わない。
また、旋回軸５２内に挿通する配線コードは、これら電力ラインＬ１，Ｌ２や信号ラインＳＬ１，ＳＬ２に限らず、例えば、無人搬送車１と障害物との接触を検知する障害物センサの信号ライン等、如何なる配線コードを挿通するものとしても構わない。
【００３９】
実施例の無人搬送車１では、保持プレート２０の下面に取り付けられるホルダ部材２２は、底面２４が鉛直線ＶＬ上の点のうち軸線ＣＬ２よりも鉛直下方側の点を含む平面内に配置するものとしたが、底面２４は鉛直線ＶＬ上の点のうち軸線ＣＬ２と同じ位置の点を含む平面内に配置するものとしたり、鉛直線ＶＬ上の点のうち軸線ＣＬ２よりも鉛直上方側の点を含む平面内に配置するものとしても差し支えない。
【００４０】
実施例の無人搬送車１では、旋回軸機構５０は、旋回軸５２のフランジ部５２ａと段付筒状部材５６の段付部５６ａとの間に配置されたコイルスプリング６０のバネ力により左側車輪３８ａと右側車輪３８ｂとに接地荷重を発生させるものとしたが、旋回軸機構５０はシリンダやソレノイド等を用いて油圧力や空圧力，電磁力などにより左側車輪３８ａと右側車輪３８ｂとに接地荷重を発生させるものとしても構わない。
【００４１】
実施例の無人搬送車１では、ホルダ部材２２は、保持プレート２０の下面にボルト等の締結部品により取り付けられるものとしたが、ホルダ部材２２は、保持プレート２０に一体成形するものとしても構わない。
【００４２】
実施例の無人搬送車１では、段付筒状部材５６は、天板１２の下面にボルト等の締結部品により取り付けられるものとしたが、段付筒状部材５６は、天板１２に一体成形するものとしても構わない。
【００４３】
実施例の無人搬送車１では、旋回軸５２は、その一部がホルダ部材２２内に収容されるようにホルダ部材２２の底面２４に図示しないボルト等の締結部品により取り付け固定するものとしたが、旋回軸はホルダ部材内に収容されていなくても差し支えない。
図９は、変形例の無人搬送車１００の旋回軸機構１５０の要部を拡大して示す拡大図である。
【００４４】
変形例の無人搬送車１００の旋回軸機構１５０は、図９に示すように、一端側が開口して他端側に底面１２４を有する有底形状をした本体部１５２ａと、本体部１５２ａの一端側端部の外周面に形成されたランジ部１５２ｂと、フランジ部１５２ｂから他端側に所定距離離れた位置の外周面に形成されたフランジ部１５２ｃとを有する旋回軸１５２と、この旋回軸１５２の内周面にスナップリングＲにより取り付け固定されたベアリング部材１５４と、ベアリング部材１５４に対して回転可能かつ軸方向移動可能に遊嵌された中空筒部１５６ａと、中空筒部１５６ａの一端部に形成されたフランジ部１５６ｂとを有する筒状部材１５６と、一端が中空筒部１５６ａの内側段部１５６ａ’に当接し、他端が旋回軸１５２の底面１２４に当接して、旋回軸１５２と筒状部材１５６とを互いに離間する方向に力を作用するコイルスプリング１６０とから構成されており、フランジ部１５２ｃをホルダ部材１２２の底面に図示しないボルト等の締結部品によって取り付け固定するとともに、フランジ部１５６ｂを天板１１２に図示しないボルト等の締結部品によって取り付け固定することにより天板１１２と保持プレート１２０とを接続する。
そして、モータＭ１，Ｍ２の電力ラインＬ１，Ｌ２やセンサＧＳおよびマーカーセンサＭＳの信号ラインＳＬ１，ＳＬ２をフレーム部材１３２内で束ねて、旋回軸１５２の本体部１５２ａの底面１２４に形成した円孔１２４ａを介して筒状部材１５６の中空筒部１５６ａ内に挿入し、中空筒部１５６ａ内を挿通させて透孔１１４ａを介して天板１１２の上面に配線して制御装置４に接続する。
【００４５】
こうした無人搬送車１００においても、実施例の無人搬送車１と同様の効果、即ち、無人搬送車自体の高さ方向を減縮できる効果や走行安定性を向上できる効果、電力ラインＬ１，Ｌ２や信号ラインＳＬ１，ＳＬ２を、駆動ユニット３０の天板１２に対する回転を考慮した配置や長さに設定する必要がなく配線の取り回しを行い易いものとすることができる効果などを奏することができる。
【００４６】
以上、本発明の実施の形態について実施例を用いて説明したが、本発明はこうした実施例に限定されるものではなく、本発明の要旨を逸脱しない範囲内において、種々なる形態で実施し得ることは勿論である。
【図面の簡単な説明】
【００４７】
【図１】本発明の一実施形態としての無人搬送車１の外観の一例を示す外観図である。
【図２】本発明の無人搬送車１を上方から見た平面図である。
【図３】駆動装置１０の外観を示す外観斜視図である。
【図４】駆動装置１０の構成の概略を示す分解斜視図である。
【図５】駆動ユニット３０を分解した状態を示す分解斜視図である。
【図６】駆動ユニット３０の要部を示す要部断面図である。
【図７】電力ラインＬ１，Ｌ２や信号ラインＳＬ１，ＳＬ２の配線の状態を示す状態図である。
【図８】昇降機構７０の構成の概略を示す構成図である。
【図９】変形例の無人搬送車１００の旋回軸機構１５０の要部を拡大して示す拡大図である。
【符号の説明】
【００４８】
１，１００  無人搬送車
２  台車本体
２ａ  台板
４  制御ユニット
５  キャスター
６  固定輪
８  ハンドル
１０  駆動装置
１２，１１２  天板
１４  ベース部
１４ａ  透孔
１４ｂ  長辺部
１４ｃ  円弧孔
１４ｄ  切欠開口
１６  突出部
１６ａ  根元部
２０，１２０  保持プレート
２０ａ  円孔
２０ｂ，２０ｃ  折曲面
２２  ホルダ部材
２４，１２４  底面
２４ａ，１２４ａ  円孔
３０，１３０  駆動ユニット
３２  フレーム部材
３２ａ  前面部
３２ｂ  後面部
３２ｃ  開口孔
３４ａ，３４ｂ  ギヤボックス
３６ａ，３６ｂ  回転軸
３７ａ，１３７ａ  左側車軸
３７ｂ，１３７ｂ  右側車軸
３８ａ，１３８ａ  左側車輪
３８ｂ，１３８ｂ  右側車軸
５０，１５０  旋回軸機構
５２，１５２  旋回軸
５２ａ，１５２ｂ，１５２ｃ，１５６ｂ  フランジ部
５４，１５４  ベアリング部材
５６  段付筒状部材
５６ａ  段付部
５６ｂ  大径筒状部
５６ｂ’  切欠開口部
５６ｃ  小径筒状部
５８  プレート部材
６０，１６０  コイルスプリング
７０，１７０  昇降機構
７２，１７２  カムフォロワー
７４，１７４  昇降ロッド
７６，１７６  レバー部材
７６ａ  頂部
７６ｂ  底辺の一端部
７６ｃ  底辺の他端部
７８  リング部材
１５２ａ  本体部
１５６  筒状部材
１５６ａ  中空筒部
１５６ａ’  内側段部
Ｇ  誘導帯
ＧＳ  センサ
ＭＳ  マーカーセンサ
Ｍ１，Ｍ２  モータ
Ｍ３  昇降用モータ
ＳＰ  ストッパピン
Ｐ  揺動ピン
ＣＡ  中央空間
Ｌ１，Ｌ２  電力ライン
ＳＬ１，ＳＬ２  信号ライン
Ｒ  スナップリング
Ｂ  ブラケット
Ｒ  ローラ部材
ＣＬ１  中央線
ＣＬ２  軸線
ＶＬ  鉛直線
【図１】
2010076685.tif 000003
【図２】
2010076685.tif 000004
【図３】
2010076685.tif 000005
【図４】
2010076685.tif 000006
【図５】
2010076685.tif 000007
【図６】
2010076685.tif 000008
【図７】
2010076685.tif 000009
【図８】
2010076685.tif 000010
【図９】
2010076685.tif 000011